(57)【要約】【課題】製造コストや消費電力を抑制しつつ指針の指示部の輝度の低下を抑制した指針計器を提供することを課題とする。【解決手段】導光性を有し軸心周りに回転する指針と、前記指針の背面側に配置され前記指針に光を照射可能な発光部と、を備え、前記指針は、前記軸心が内部を通過する筒部、前記筒部から正面側に行くに従って前記軸心から離れるように湾曲した側壁部、前記側壁部から前記軸心から離れるように直線状に延びた指示部、を含み、前記発光部は、前記筒部に光を照射可能であり前記軸心周りに同心円上に配置された複数の発光部を含み、前記側壁部は、前記軸心周りに１８０度を超えた範囲で前記筒部に連続した根元部を含む、指針計器。【選択図】図７
2015210091.tif 000002
【特許請求の範囲】
【請求項１】
導光性を有し軸心周りに回転する指針と、
前記指針の背面側に配置され前記指針に光を照射可能な発光部と、を備え、
前記指針は、前記軸心が内部を通過する筒部、前記筒部から正面側に行くに従って前記軸心から離れるように湾曲した側壁部、前記側壁部から前記軸心から離れるように直線状に延びた指示部、を含み、
前記発光部は、前記筒部に光を照射可能であり前記軸心周りに同心円上に配置された複数の発光部を含み、
前記側壁部は、前記軸心周りに１８０度を超えた範囲で前記筒部に連続した根元部を含む、指針計器。
【請求項２】
前記指針は、３６０度回転可能である、請求項１の指針計器。
【請求項３】
前記発光部は、前記軸心周りに等角度間隔で配置された３つの発光部を含む、請求項１又は２の指針計器。
【請求項４】
前記根元部は、前記軸心周りに１９０度以上〜２６０度以下の範囲で形成されている、請求項１乃至３の何れかの指針計器。
【請求項５】
導光性を有し前記軸心周りに回転し前記指針及び発光部間に配置された背面側指針を備え、
前記背面側指針は、前記軸心が内部を通過し前記筒部よりも前記発光部に近い位置にある背面側筒部、前記背面側筒部の全周に連続して前記正面側に行くに従って内径が拡大する円錐筒状である背面側側壁部、前記背面側側壁部から前記軸心から離れるように直線状に延びた背面側指示部、を含む、請求項１乃至４の何れかの指針計器。
【請求項６】
前記背面側指針は、前記背面側側壁部から前記背面側指示部とは逆方向に延びた背面側バランス部を含む、請求項５の指針計器。
【発明の詳細な説明】
【技術分野】
【０００１】
本発明は、指針計器に関する。
【背景技術】
【０００２】
導光性を有した指針を発光部から照射される光によって発光させる指針計器が知られている。これにより暗い環境下での指針の視認性が確保されている。例えば特許文献１には、このような指針計器の一例が開示されている。
【先行技術文献】
【特許文献】
【０００３】
【特許文献１】特開２０１３−０６４７５８号公報
【発明の概要】
【発明が解決しようとする課題】
【０００４】
このような指針は、例えば文字板等に表記された文字を指示す指示部を有する。指針が回転すると、指針の指示部と発光部との相対位置は変化する。このため、回転位置によっては指針の指示部の輝度が大きく低下して、指針の視認性が低下する恐れがある。また、回転位置による指針の指示部の輝度の低下を抑制するために、広範囲にわたって多くの発光部を設けることも考えられるが、この場合製造コストや消費電力が増大する。
【０００５】
そこで本発明は、製造コストや消費電力を抑制しつつ指針の指示部の輝度の低下を抑制した指針計器を提供することを目的とする。
【課題を解決するための手段】
【０００６】
上記目的は、導光性を有し軸心周りに回転する指針と、前記指針の背面側に配置され前記指針に光を照射可能な発光部と、を備え、前記指針は、前記軸心が内部を通過する筒部、前記筒部から正面側に行くに従って前記軸心から離れるように湾曲した側壁部、前記側壁部から前記軸心から離れるように直線状に延びた指示部、を含み、前記発光部は、前記筒部に光を照射可能であり前記軸心周りに同心円上に配置された複数の発光部を含み、前記側壁部は、前記軸心周りに１８０度を超えた範囲で前記筒部に連続した根元部を含む、指針計器によって達成できる。
【発明の効果】
【０００７】
製造コストや消費電力を抑制しつつ指針の指示部の輝度の低下を抑制した指針計器を提供できる。
【図面の簡単な説明】
【０００８】
【図１】図１は、時計の正面図である。
【図２】図２は、時計の内部構造を示した部分断面図である。
【図３】図３Ａ〜３Ｃは、指針ユニットの説明図である。
【図４】図４Ａ〜４Ｃは、指針ユニットの説明図である。
【図５】図５は、図２の部分拡大図である。
【図６】図６は、軸線方向から見た場合の指針と発光素子の位置関係を示した図である。
【図７】図７Ａは、指針の側面図であり、図７Ｂは、筒部の外半径に対する側壁部の内側面の曲率半径の割合と、３つの発光素子の出射光の合計の光束に対する指示部に入光する光束の割合との関係を示したグラフである。
【図８】図８は、カバーの孔部の拡大図である。
【図９】図９Ａ〜９Ｃは、カバーの変形例の説明図である。
【発明を実施するための形態】
【０００９】
以下に、指針計器の一例として時計１を説明する。図１は、時計１の正面図である。時計１は、枠体３と、枠体３に固定された文字板５と、文字板５の正面側に位置し枠体３に固定された透明な正面板９と、文字板５と正面板９との間に配置された指針ユニットＨ〜Ｈｂ等を備えている。指針ユニットＨ〜Ｈｂは、同一の軸心周りを同一方向に異なる速度で回転する。指針ユニットＨ〜Ｈｂは、それぞれ時針、分針、秒針であり、指針ユニットＨが最も短く、指針ユニットＨｂが最も長い。指針ユニットＨｂは、連結軸Ｃｂに固定されている。尚、文字板５には、現在時刻を示すための文字は表記されていないが記載されたものであってもよい。また、文字板５はなくてもよい。
【００１０】
図２は、時計１の内部構造を示した部分断面図である。指針ユニットＨ〜Ｈｂの背面側には、発光素子Ｌが配置されている。発光素子Ｌは、図２では一つのみを示しているが、指針ユニットＨ〜Ｈｂの回転の軸心Ａ周りに等角度間隔に３つ配置されており、具体的には１２０度毎に配置されている。３つの発光素子Ｌは、軸心Ａを中心とする同一円上に配置されている。指針ユニットＨは、指針ユニットＨａと発光素子Ｌとの間に配置されている。発光素子Ｌは、暗い環境下で指針ユニットＨ〜Ｈｂを発光させるための光源である。発光素子Ｌは、時計１周辺の明るさを検知する不図示のセンサに基づいて点灯又は消灯し、時計１の周辺が暗い場合には点灯する。発光素子Ｌの数は３つに限定されない。
【００１１】
文字板５の背面側には指針ユニットＨ〜Ｈｂを駆動するためのムーブメントＭが配置されている。回転軸ＳはムーブメントＭから文字板５の正面側に延びている。回転軸Ｓの正面側の端部には筒体Ｃが固定され、筒体Ｃには指針ユニットＨが固定されている。ムーブメントＭによって回転軸Ｓが回転して、筒体Ｃ、指針ユニットＨも回転する。
【００１２】
回転軸Ｓは中空状であり回転軸Ｓａが貫通している。回転軸Ｓａは、ムーブメントＭから回転軸Ｓを貫通し回転軸Ｓの先端部よりも正面側に延びている。回転軸Ｓａの先端部には筒体Ｃａが固定され、筒体Ｃａには指針ユニットＨａが固定されている。ムーブメントＭによって回転軸Ｓａが回転して、筒体Ｃａ、指針ユニットＨａも回転する。
【００１３】
同様に、回転軸Ｓａも中空状であり回転軸Ｓｂが貫通している。回転軸Ｓｂは、ムーブメントＭから回転軸Ｓａを貫通し回転軸Ｓａの正面側に延びている。回転軸Ｓｂの先端部には連結軸Ｃｂが固定されている。連結軸Ｃｂの先端部には指針ユニットＨｂが固定されている。ムーブメントＭによって回転軸Ｓｂが回転して、連結軸Ｃｂ、指針ユニットＨｂも回転する。指針ユニットＨ〜Ｈｂは、背面側から正面側の順に配置されている。
【００１４】
ムーブメントＭと文字板５との間には、発光素子Ｌが実装されたプリント基板ＰＢが配置されている。尚、図２では単一の発光素子Ｌを示している。回転軸Ｓは、プリント基板ＰＢに形成された孔ＰＢｈを貫通している。文字板５は、取付板６に取り付けられている。支持筒７は、回転軸Ｓや指針ユニットＨ、指針ユニットＨａの基端部を包囲し、取付板６に固定されている。プリント基板ＰＢは、取付板６の背面側に配置されている。
【００１５】
指針ユニットＨ、Ｈａについて説明する。図３Ａ〜３Ｃは指針ユニットＨの説明図であり、図３Ａは指針ユニットＨの斜視図、図３Ｂは指針ユニットＨの分解斜視図、図３Ｃは指針ユニットＨの断面図である。図４Ａ〜４Ｃは指針ユニットＨａの説明図であり、図４Ａは指針ユニットＨａの斜視図、図４Ｂは指針ユニットＨａの分解斜視図、図４Ｃは指針ユニットＨａの断面図である。指針ユニットＨ、Ｈａは互いに構成が類似している。
【００１６】
指針ユニットＨ、Ｈａは、それぞれ、指針１０、１０ａ、カバー２０、２０ａ、光拡散フィルム３０、３０ａを含む。指針１０、１０ａは、軸心Ａ周りに回転する。指針ユニットＨａの全体の長さは、指針ユニットＨの全体の長さよりも長く、指針１０ａ、カバー２０ａ、光拡散フィルム３０ａは、それぞれ指針１０、カバー２０、光拡散フィルム３０よりも長い。指針１０、１０ａは、導光性を有し透明な合成樹脂製である。カバー２０、２０ａは、それぞれ指針１０、１０ａの正面側に取り付けられ、不透明であり有色、例えば黒色であるがこれに限定されない。光拡散フィルム３０、３０ａは、それぞれ、指針１０とカバー２０との間、指針１０ａとカバー３０ａとの間に配置されている。光拡散フィルム３０、３０ａは、それぞれ指針１０、１０ａから出射された光を拡散させる。
【００１７】
指針１０、１０ａは、それぞれ、図２、３Ｃ、４Ｃに示すように、筒部１１、１１ａ、側壁部１２、１２ａ、１３ａ、指示部１４、１４ａ、バランス部１５、１５ａ、基端部１８、１８ａを含む。側壁部１２は、筒部１１に連続している。側壁部１２ａ、１３ａは、筒部１１ａに連続している。詳しくは後述する。指示部１４、バランス部１５は、側壁部１２から径方向外側に互いに逆方向に略直線状に延びている。指示部１４ａ、バランス部１５ａは、それぞれ、側壁部１２ａ、１３ａから径方向外側に互いに逆方向に略直線状に延びている。基端部１８は、筒部１１の背面側に位置して筒部１１から径方向内側に突出し筒体Ｃに固定されている。基端部１８ａは、筒部１１ａの背面側に位置して筒部１１ａから僅かに径方向内側に突出し筒体Ｃａに固定されている。基端部１８の径方向内側への突出量は、基端部１８ａよりも大きい。
【００１８】
筒部１１、１１ａは略円筒状であり、筒部１１、１１ａの軸心は軸心Ａと一致しているがこれに限定されず、軸心Ａが筒部１１、１１ａ内を通過していればよい。指針１０の側壁部１２は、図２の断面から見て、筒部１１から正面側に行くに従って軸心Ａから離れるように湾曲している。換言すれば、側壁部１２は、筒部１１の全周に連続し、正面側に行くに従って内径及び外径が拡大する円錐筒状の周壁部である。側壁部１２の内側面１２１は指示部１４及びバランス部１５の正面に連続している。側壁部１２の外側面は指示部１４及びバランス部１５の背面に連続している。
【００１９】
指針１０ａの側壁部１２ａ、１３ａは、図２の断面から見て、筒部１１ａから正面側に行くに従って軸心Ａから離れるように互いに逆方向に湾曲している。即ち、側壁部１２ａ、１３ａは、切欠部Ｆを介して互いに対向して離れるように湾曲している。側壁部１２ａ、１３ａの内側面１２１ａ、１３１ａは、それぞれ指示部１４ａ、バランス部１５ａの正面に連続している。側壁部１２ａ、１３ａの外側面は、それぞれ指示部１４ａ、バランス部１５ａの背面に連続している。また、指示部１４はバランス部１５よりも長く、指示部１４ａはバランス部１５ａよりも長い。
【００２０】
カバー２０、２０ａは、薄い金属製であり具体的にはアルミニウムであるがこれに限定されない。カバー２０、２０ａは、それぞれ、基部２１、２１ａ、指示部２４、２４ａ、バランス部２５、２５ａ、開口部２４Ｐ、２４Ｐａ、側壁部２６、２６ａを含む。基部２１、２１ａは、軸心Ａ周りに形成され、それぞれ連結軸Ｃｂが貫通する逃孔２０ｈを画定する。指示部２４、バランス部２５は、基部２１から径方向外側に互いに逆方向に直線状に延びそれぞれ指示部１４、バランス部１５の正面を覆う。開口部２４Ｐは、指示部２４に形成され長手方向に延び指針１０の指示部１４を部分的に露出している。バランス部２５には、このような開口部は形成されていない。側壁部２６は、基部２１、指示部２４、バランス部２５の両側部が折り曲げられた部分であり、指針１０の側面を部分的に覆う。基部２１ａ、逃孔２０ｈ、指示部２４ａ、バランス部２５ａ、開口部２４Ｐａ、側壁部２６ａについても同様である。尚、バランス部１５、１５ａ、２５、２５ａは、指針ユニットＨ全体のバランスをとるために設けられているが設けられていなくてもよい。また、基部２１ａには軸心Ａ周りに等角度間隔に３つの孔部２２ａが形成されている。孔部２２ａについては詳しくは後述する。
【００２１】
光拡散フィルム３０、３０ａは、それぞれ、基部３１、３１ａ、延在部３４、３４ａを含む。基部３１は、軸心Ａ周りに略リング状に形成され、逃孔３０ｈを画定し、カバー２０の基部２１の背面側に位置する。延在部３４は、基部３１から径方向外側に略直線状に延び、指示部１４、２４間に配置される。基部３１ａ、逃孔３０ｈａ、延在部３４ａについても同様である。筒部１１、１１ａ、逃孔２０ｈ、２０ｈａ、３０ｈ、３０ｈａは同心円状に配置される。
【００２２】
図２に示すように、指針１０の筒部１１内に指針１０ａの筒部１１ａが配置されている。また、指針１０の筒部１１を、回転軸Ｓａ、筒体Ｃａ、連結軸Ｃｂが貫通している。カバー２０の逃孔２０ｈを、筒部１１ａ、連結軸Ｃｂが貫通している。図２に示すように、筒部１１、筒部１１ａは同心円状に配置され筒部１１ａは筒部１１内に位置している。基端部１８ａは筒部１１に包囲され、基端部１８、１８ａは接近して配置されている。尚、図２においては、光拡散フィルム３０、３０ａに関する符号は省略してある。
【００２３】
発光素子Ｌの点灯により指針１０、１０ａ内に光が入射して発光する。ユーザは、カバー２０の開口部２４Ｐを介して発光する指針１０を視認でき、カバー２０ａの開口部２４Ｐａ、孔部２２ａを介して発光する指針１０ａを視認できる。詳しくは以下に述べる。
【００２４】
図５は、図２の部分拡大図である。発光素子Ｌは、軸線Ａに対して垂直であり光を出射する出射面Ｌ１を有している。図６は、軸線Ａ方向から見た場合の指針１０、２０と発光素子Ｌの位置関係を示した図である。図５に示すように、基端部１８は、筒部１１から径方向内側に突出した略リング状であり、基端部１８の内周が筒体Ｃに固定されている。基端部１８は、背面側に位置し３つの発光素子Ｌの出射面Ｌ１に直接対向した入射面１８１と、入射面１８１の裏面に相当し筒部１１よりも径方向内側に位置する出射面１８３とを含む。出射面１８３は、指針１０ａの基端部１８ａの背面側に位置する入射面１８１ａに対向する。入射面１８１、出射面１８３、入射面１８１ａは、それぞれ略リング状であり略平坦に形成されている。入射面１８１、１８１ａは、軸心Ａに対して若干傾斜している。出射面１８３は、軸心Ａに略垂直である。入射面１８１は、指針１０の回転角度によらずに常に全ての発光素子Ｌの出射面Ｌ１に直接対向しており、発光素子Ｌからの光が入射する。尚、図６においては、入射面１８１、１８１ａの外縁を点線で示しているが、出射面１８３については符号を付していない。
【００２５】
発光素子Ｌからの光の一部は入射面１８１から筒部１１内に入射して側壁部１２の内側面１２１で内面反射し、指示部１４の先端側に案内される。これにより指示部１４が発光する。また、発光素子Ｌからの光の他の一部は、入射面１８１及び出射面１８３を介して入射面１８１ａから筒部１１ａ内に入射して側壁部１２ａの内側面１２１ａで内面反射し、指示部１４ａの先端側に案内される。これにより指示部１４ａが発光する。内側面１２１、１２１ａは緩やかな略円弧状カーブとなっているため外部への光の漏れ量が小さくなり、効率的に内面反射される。図５には、このような光の進行方向を矢印により示している。
【００２６】
指針１０の筒部１１が指針１０ａの基端部１８ａを包囲し、指針１０の基端部１８が径方向内側に突出しているので、基端部１８の出射面１８３と基端部１８ａの入射面１８１ａとが接近して直接対向している。このように、指針１０の出射面１８３と指針１０ａの入射面１８１ａとが接近して直接対向しているため、出射面１８３から出射された光が入射面１８１ａに入射する際の光の損失を抑制できる。これにより、指針１０のみならず指針１０ａに入射する光量をも確保でき、指針１０ａの輝度の低下が抑制されている。
【００２７】
発光素子Ｌは、指針１０の基端部１８の入射面１８１と直接対向しているので、発光素子Ｌの光を直接的に指針１０内に入射させて光量を効率的に用いて指針１０を発光させることができる。また、指針１０ａには指針１０のみを介して光が入射するため、２以上の導光部材を介して指針１０ａに光が入射する場合と比較して、光量を効率的に用いて指針１０ａを発光させることができる。以上のように、指針１０、１０ａの双方の輝度の低下が抑制されている。
【００２８】
入射面１８１は、内側のほうが外側よりも発光素子Ｌに近づくように傾斜して発光素子Ｌの出射面Ｌ１に対してわずかに傾斜している。このため、例えば出射面Ｌ１から軸線Ａと平行に出射された光は、入射面１８１で屈折して側壁部１２の内側面１２１側に向けて筒部１１内を進行する。このため、側壁部１２の内側面１２１で光が内面反射して指示部１４の先端側に進行する。これにより、発光素子Ｌからの光を効率的に指示部１４にまで案内できる。
【００２９】
同様に、入射面１８１ａも、内側のほうが外側よりも発光素子Ｌに近づくように傾斜し、発光素子Ｌの出射面Ｌ１に対して傾斜している。このため、出射面１８３から出射された光が入射面１８１ａで屈折して側壁部１２ａの内側面１２１ａ側に案内することができる。これにより、側壁部１２ａの内側面１２１ａで内面反射させて指示部１４ａの先端側に光を案内できる。尚、出射面１８３は、発光素子Ｌの出射面Ｌ１と略平行である。
【００３０】
図７Ａは、指針１０ａの側面図である。図７Ａでは、指針１０ａの回転によって指針１０ａと発光素子Ｌとの相対位置関係が変化する状態を示し、指針１０ａ内を進行する光を示している。図７Ａに示すように、側壁部１２ａは、筒部１１ａに連続した根元部Ｔから立ち上がっている。また、図６に示すように、根元部Ｔの軸心Ａ周りでの角度Ｒは、１８０度を超えている。例えば角度Ｒは２２５度であるが、１９０度以上〜２６０度以下であってもよい。根元部Ｔを含む側壁部１２ａは、指示部１４ａが延びた方向に対称に形成されている。また、図７Ａに示すように、指示部１４ａが延びた方向及び軸心Ａの双方に垂直な方向から見て、側壁部１２ａは軸心Ａに重なっている。
【００３１】
このように、指示部１４ａに連続している側壁部１２ａの根元部Ｔが軸心Ａ周りに１８０度を超えた角度範囲にわたって筒部１１ａに連続している。これにより、指針１０ａの回転により指針１０ａと発光素子Ｌとの相対位置が変化しても、より多くの光を側壁部１２ａの内側面１２１ａで内面反射させることができる。従って、指針１０ａの回転位置に応じて指示部１４ａの輝度が大きく低下することを抑制できる。尚、図７Ａに示すように、筒部１１ａの外半径Ｒａに対する側壁部１２ａの内側面１２１ａの曲率半径Ｒｂの割合について、Ｒｂ／Ｒａ＝１．７の関係が成立するがこれに限定されない。例えば、図７Ｂに示すように、１．４＜Ｒｂ／Ｒａ＜２．６の関係が成立すればよい。これにより、筒部１１ａ内に入射した光を側壁部１２ａの内側面１２１ａで内面反射させて効率的に指示部１４ａ側に案内でき、指示部１４ａの輝度を確保できる。尚、図７Ｂは、筒部１１ａの外半径Ｒａに対する側壁部１２ａの内側面１２１ａの曲率半径Ｒｂの割合と、３つの発光素子Ｌの出射光の合計の光束に対する指示部１４ａに入光する光束の割合との関係を示したグラフである。横軸はＲｂ／Ｒａを示し、縦軸は、３つの発光素子Ｌの出射光の光束の合計に対する、内側面１２１ａで内面反射して指示部１４ａに入光する光束を百分率で示したものである。
【００３２】
また、側壁部１２ａの根元部Ｔが軸心Ａ周りに１８０度を超えた角度範囲にわたって筒部１１ａに連続しているので、バランス部１５ａに連続した側壁部１３ａの根元部は１８０度未満に設定されている。このため、筒部１１ａ内に入射して側壁部１３ａの内側面１３１ａで内面反射してバランス部１５ａに案内される光量が抑制されている。これにより、多くの光量を指示部１４ａに案内できる。
【００３３】
ここで、指針１０ａの回転位置によらずに指示部１４ａの輝度を確保するために、軸心Ａ周りにより多くの発光素子を設けることが考えられる。しかしながらこの場合、製造コストや消費電力が増大する。本実施例では、筒部１１ａに連続した側壁部１２ａの根元部Ｔの範囲が１８０度を超えているので、製造コストや消費電力を抑制しつつ指針１０ａの指示部１４ａの輝度の低下が抑制されている。
【００３４】
尚、図２、３Ａ〜３Ｃに示すように、指針１０の側壁部１２は、筒部１１の全周に連続し正面側に行くに従って内径が拡大した円錐筒状であり、指示部１４は側壁部１２の一部分から直線状に延びている。このため、筒部１１内に入射した光は、指示部１４側のみならず、円錐筒状である側壁部１２全体にも拡散される。また、バランス部１５は、指示部１４とは逆方向に側壁部１２の一部分から直線状に延びている。このため、筒部１１に入射した光は、バランス部１５側にも拡散される。ここで、指針１０は、指針１０ａよりも発光素子Ｌの近くに配置されている。従って、指針１０では、発光素子Ｌからの光を指示部１４側のみならず側壁部１２やバランス部１５側にも拡散させることにより、指示部１４の輝度が強くなりすぎることが抑制されている。これにより、指針１０、１０ａの指示部１４、１４ａの輝度差を抑制している。
【００３５】
次に、カバー２０について詳細に説明する。図３Ａ〜３Ｃに示したように、不透明であるカバー２０は指示部２４、側壁部２６を有し、透明である指針１０の指示部１４の正面及び側面を部分的に覆っている。例えばカバー２０を設けない場合には、指針１０は透明であるため明るい環境下では指針１０が視認しにくくなる恐れがある。ここで、明るい環境下での視認性の低下を抑制するために指針１０の外面に塗装や印刷を施すことが考えられる。しかしながらこの場合、暗い環境下で発光素子Ｌから指針１０内に入射した光が指針１０の外側に進行する際に、指針１０の外面に施された塗装や印刷によって内面反射が妨げられる恐れがある。これにより、指針１０の指示部１４の先端側にまで十分に光が案内されずに指示部１４の先端側の輝度が低下する恐れがある。本実施例では、別部材であるカバー２０を指針１０に取り付けることによって、明るい環境下での指針ユニットＨの視認性の低下を抑制しつつ暗い環境下でも指針１０の輝度の低下を抑制している。指針ユニットＨａの指針１０ａ、カバー２０ａについても同様である。
【００３６】
上述したように本実施例のカバー２０は、指針１０の側面を部分的に覆うため、暗い環境下で指針１０の側面から光が外部に漏れることが抑制される。例えば指針１０の側面が覆われていないと、指針１０の側面から漏れる光量が多くなり、漏れた光が周辺の他の部材に反射して指針１０の視認性が低下する恐れがある。本実施例では、カバー２０が指針１０の側面を部分的に覆うことにより指針１０の側面からの光の漏れを抑制して、暗い環境下での指針１０の視認性の低下を抑制している。尚、指針ユニットＨａの指針１０ａ、カバー２０ａについても同様である。
【００３７】
本実施例でのカバー２０は、指針１０の正面及び側面の双方を部分的に覆うが、これに限定されない。例えば、カバー２０は、指針１０の側面は覆わずに正面を覆う枠状であってもよい。また、カバー２０は指針１０の正面は覆わずに側面を覆う枠状であってもよい。何れの場合であっても、指針１０に別部材である不透明なカバー２０を取付けることにより明るい環境下での指針ユニットＨの視認性の低下が抑制される。また、カバー２０が指針１０の側面を覆う場合には、暗い環境下で指針１０の側面からの光の漏れを抑制できる。尚、指針ユニットＨａの指針１０ａ、カバー２０ａについても同様である。
【００３８】
尚、カバー２０が指針１０の正面及び側面を部分的に覆うことにより、指針１０とカバー２０との間に配置される光拡散フィルム３０の位置ずれなどが抑制されている。尚、指針ユニットＨａの指針１０ａ、カバー２０ａ、光拡散フィルム３０ａについても同様である。
【００３９】
図８は、カバー２０ａの孔部２２ａの拡大図である。尚、図８ではカバー２０ａの外形線は省略してある。カバー２０ａの逃孔２０ｈａ周りに、即ち指針１０ａの軸心Ａ周りに等角度間隔に３つの孔部２２ａが形成されている。孔部２２ａは、軸心Ａを中心とする円周方向を長手方向とする長孔状である。複数の孔部２２ａは、軸心Ａを中心とする同一円周上に形成されている。暗い環境下では、発光素子Ｌから指針１０ａ内に入射した光の一部が孔部２２ａを介して通過する。孔部２２ａは指針１０ａの軸心Ａ周りに形成されているので、ユーザは暗い環境下で指針１０ａの軸心Ａの位置を把握できる。
【００４０】
例えば、カバー２０ａに孔部２２ａが設けられておらず開口部２４Ｐａのみが設けられていると、ユーザは開口部２４Ｐａから漏れる光により指針１０ａの姿勢は把握できる。しかしながら、ユーザは指針１０ａの軸心Ａの位置が把握できないため、時刻の視認性が低下してユーザは時刻を誤認する恐れがある。本実施例では、軸心Ａ周りに孔部２２ａが形成されているので、ユーザは指針１０ａの軸心Ａの位置を把握でき、ユーザが時刻を誤認することを抑制できる。
【００４１】
尚、カバー２０ａよりも正面側に配置される指針ユニットＨｂや連結軸Ｃｂの大きさを考慮して、ユーザが正面側から見て孔部２２ａを視認できるように位置や大きさを設定する。また、孔部２２ａの大きさ、形状は同じであるがこれに限定されず、孔部２２ａの数も限定されない。孔部２２ａは軸心Ａ周りに少なくとも２つあればよい。また、指針１０よりも正面側に配置される指針１０ａに取付けられるカバー２０ａに孔部２２ａを設けたが、指針１０に取付けられるカバー２０にこのような孔部を設けてもよい。この場合もカバー２０の正面側に配置される指針ユニットＨａ、Ｈｂや連結軸Ｃｂの大きさを考慮して、ユーザが正面側から見て視認できるように孔部の位置や大きさを設定する。
【００４２】
図９Ａ〜９Ｃは、カバーの変形例の説明図である。尚、類似する構成については類似する符号を付することにより重複する説明を省略する。図９Ａに示すように、カバー２０ｂの基部２１ｂには、逃孔２０ｈｂ周りに、即ち指針１０ａの軸心Ａ周りに４つの孔部２２ｂが等角度間隔で形成されている。孔部２２ｂの長手方向の長さは孔部２２ａよりも短い。各孔部２２ｂの大きさ、形状は同じであるがこれに限定されず、孔部２２ｂの数も限定されない。
【００４３】
図９Ｂに示すように、カバー２０ｃの基部２１ｃには、逃孔２０ｈｃ周りに、即ち指針１０ａの軸心Ａ周りに８つの孔部２２ｃが等角度間隔で形成されている。孔部２２ｃは円状である。各孔部２２ｃの大きさ、形状は同じであるがこれに限定されず、孔部２２ｃの数も限定されない。
【００４４】
図９Ｃに示すように、カバー２０ｄの基部２１ｄには、逃孔２０ｈｄ周り、即ち指針１０ａの軸心Ａ周りに光透過部２２ｄが形成されている。光透過部２２ｄは、光透過性を有する材料により形成された部分である。尚、基部２１ｄは光透過性を有していない。このように、軸心Ａ周りに孔を設けるのではなく光透過部２２ｄを形成することにより、暗い環境下では光透過部２２ｄは発光してユーザは軸心Ａの位置を把握できる。尚、この場合、例えば光透過部２２ｄ以外のカバー２０ｄ本体を、光透過性を有しない合成樹脂又は金属で形成し、光透過部２２ｄを合成樹脂で形成して、カバー２０ｄ本体と光透過部２２ｄを接着又は固定してもよい。また、光透過性を有しない合成樹脂と有する合成樹脂とにより２色成形によりカバー２０ｄを製造してもよい。
【００４５】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４６】
上記実施例において、指針計器として、指針が３６０度回転する時計１を例に説明したがこれに限定されず、指針が一定の角度範囲を回転するものであってもよい。例えば、指針計器は、湿度計、温度計、コンパス、速度メータ、その他の計測機器であってもよい。また、指針計器は１つの指針のみを備えたものであってもよいし２つ以上の指針を備えたものであってもよい。上記実施例において、発光素子Ｌは、発光部の一例であるこれに限定されず、例えば、白熱電球や蛍光灯であってもよい。
【００４７】
指針１０、１０ａは、第１及び第２指針の一例である。光拡散フィルム３０、３０ａは、光拡散部材の一例である。筒部１１、１１ａは、第１及び第２筒部の一例である。側壁部１２、１２ａは、第１及び第２側壁部の一例である。指示部１４、１４ａは、第１及び第２指示部の一例である。基端部１８、１８ａは、第１及び第２基端部の一例である。入射面１８１、１８１ａは、それぞれ第１及び第２入射面の一例である。孔部２２ａ〜２２ｃ、光透過部２２ｄは、光通過部の一例である。
【００４８】
指針１０、筒部１１、側壁部１２、指示部１４、バランス部１５は、それぞれ、背面側指針、背面側筒部、背面側側壁部、背面側指示部、背面側バランス部の一例である。
【符号の説明】
【００４９】
１  時計
１０、１０ａ  指針
１１、１１ａ  筒部
１２、１２ａ  側壁部
１２１、１２１ａ  内側面
１４、１４ａ  指示部
１８、１８ａ  基端部
１８１  入射面
１８３  出射面
２０、２０ａ  カバー
２２ａ  孔部（光通過部）
２４Ｐ、２４Ｐａ  開口部
２６、２６ａ  側壁部
３０、３０ａ  光拡散フィルム
Ａ  軸心
Ｈ、Ｈａ  指針ユニット
Ｔ  根元部
【図１】
2015210091.tif 000003
【図２】
2015210091.tif 000004
【図３】
2015210091.tif 000005
【図４】
2015210091.tif 000006
【図５】
2015210091.tif 000007
【図６】
2015210091.tif 000008
【図７】
2015210091.tif 000009
【図８】
2015210091.tif 000010
【図９】
2015210091.tif 000011